(57)【要約】      （修正有）【課題】集塵袋の内面に付着した塵埃を効率よく除塵することのできる電気掃除機を提供する。【解決手段】集塵袋の内面に付着した塵埃を除塵する除塵手段と、該除塵手段を駆動する駆動手段とを設け、前記除塵手段に該除塵手段の動作に連動して動作する除塵体を設けた。【選択図】図８
2008005863.tif 000002
【特許請求の範囲】
【請求項１】
電動送風機及び集塵室を有する掃除機本体と、前記集塵室に配置される集塵袋と、該集塵袋の内面に付着した塵埃を除塵する除塵手段と、該除塵手段を駆動する駆動手段とを設けた電気掃除機において、
前記除塵手段には該除塵手段の動作に連動して動作する除塵体を有することを特徴とする電気掃除機。
【請求項２】
電動送風機及び集塵室を有する掃除機本体と、前記集塵室に配置される集塵袋と、該集塵袋の内面に付着した塵埃を除塵する除塵手段と、該除塵手段を駆動する駆動手段とを設けた電気掃除機において、
前記除塵手段は、前記集塵袋の後方に配置された第一除塵体と、前記集塵袋の上方に配置された第二除塵体とを有し、
前記第二除塵体には該除塵手段の動作に連動して動作する補助除塵体を有することを特徴とする電気掃除機。
【請求項３】
請求項２において、
前記除塵手段は前記記集塵袋の下方に配置された第三除塵体を有することを特徴とする電気掃除機。
【請求項４】
請求項３において、
前記第一除塵体の下部と前記第三除塵体の後部は回動自在に連結されていることを特徴とする電気掃除機。
【請求項５】
請求項２乃至４の何れかにおいて、
前記集塵室を覆う開閉自在な集塵蓋を設け、前記第二除塵体は前記集塵蓋に設けられていることを特徴とする電気掃除機。
【請求項６】
請求項１乃至５の何れかにおいて、
前記駆動手段は、電動機若しくはコードリールとしたことを特徴とする電気掃除機。
【請求項７】
電動送風機と、該電動送風機の隣に配置されるコードリールと、前記電動送風機の上流側に配置される集塵袋と、この集塵袋を内置する集塵室と、前記集塵袋の内面に付着する塵埃を振るい落とす除塵手段を有し、前記除塵手段は前記集塵室内に置かれ、かつ前記集塵袋に除塵振動を伝える除塵部材と、前記コードリールに駆動され、かつ前記除塵部材に振動動作を起こさせる除塵回転体を有し、前記除塵部材は前記集塵袋の後部側に当接する縦置除塵体と、前記集塵袋の下部側と当接する下部横置除塵体と前記集塵袋の上部に当接する上部横置除塵体とを有し、前記上部横置除塵体に当接するように配置された上部横置除塵体補助部を有した電気掃除機において、
前記上部横置除塵体は集塵室蓋に保持され、前記上部横置除塵体は略上下方向に作動し且つ、前記上部横置除塵体の作動と連動して前記上部横置除塵体補助部が略上下方向に作動することを特徴とする電気掃除機。
【請求項８】
電動送風機と、該電動送風機の隣に配置されるコードリールと、前記電動送風機の上流側に配置される集塵袋と、この集塵袋を内置する集塵室と、前記集塵袋の内面に付着する塵埃を振るい落とす除塵手段を有し、前記除塵手段は前記集塵室内に置かれ、かつ前記集塵袋に除塵振動を伝える除塵部材と、前記コードリールに駆動され、かつ前記除塵部材に振動動作を起こさせる除塵回転体を有し、前記除塵部材は前記集塵袋の後部側に当接する縦置除塵体と、前記集塵袋の下部側と当接する下部横置除塵体と前記集塵袋の上部に当接する上部横置除塵体とを有し、前記上部横置除塵体に当接するように配置された上部横置除塵体補助部を有した電気掃除機において、
前記上部横置除塵体は集塵室蓋に保持された除塵体保持部材を介して集塵室蓋に保持され、前記上部横置除塵体は略上下方向に作動し且つ、前記上部横置除塵体補助部は集塵室蓋又は除塵体保持部を介して配置され、前記上部横置除塵体の作動と連動して前記上部横置除塵体補助部が略上下方向に作動することを特徴とする電気掃除機。
【請求項９】
請求項７又は８において、
前記上部横置除塵体又は前記上部横置除塵体を複数個配置したことを特徴とする電気掃除機。
【請求項１０】
請求項８又は９において、
前記除塵体保持部が着脱自在であることを特徴とする電気掃除機。
【請求項１１】
請求項７乃至１０の何れかにおいて、
前記上部横置除塵補助部で吸引風の流れる流路空間を構成したことを特徴とする電気掃除機。
【請求項１２】
請求項７乃至１１において、
前記除塵回転体からの動力分岐機構を備え且つ、該動力分岐機構は集塵室内部に配置され前記上部横置除塵体に動力を付与し、前記動力分岐機構は前記縦置除塵体よりも下流側に配置することを特徴とする電気掃除機。
【請求項１３】
請求項１２において、
前記動力分岐機構は前記集塵室内部において、着脱自在に配置したことを特徴とする電気掃除機。
【請求項１４】
請求項７乃至１３の何れかにおいて、
前記除塵回転体を電動機にて駆動することを特徴とする電気掃除機。
【請求項１５】
請求項７乃至１４の何れかにおいて、
前記掃除機本体の外郭の少なくとも一部を透明又は半透明にしたことを特徴とする電気掃除機。
【請求項１６】
請求項７乃至１５の何れかにおいて、
前記上部横置除塵補助部の作動に応じて作動音を発することを特徴とする電気掃除機。
【発明の詳細な説明】
【技術分野】
【０００１】
本発明は集塵袋に付着した塵埃を除塵する機能を備えた電気掃除機に関するものである。
【背景技術】
【０００２】
集塵袋を用いた電気掃除機では、集塵した塵によって集塵袋内が満杯になったとき、集塵袋を集塵室から取り外し、新しい集塵袋と交換する。これにより、吸引力が回復し再び強い吸引力で掃除をすることができる。集塵室から取り外した集塵袋は、ゴミとして廃棄される。集塵袋を用いた電気掃除機は、ゴミを廃棄するときでもゴミが飛び散ることがなく、また新しい集塵袋と取り替えることで吸引力が回復するので、取り扱いが便利である。
【０００３】
しかし、集塵した塵によって集塵袋内に塵埃が蓄積してくると、集塵袋が満杯になる前から序々に目詰まりを起こし通気抵抗が増加することから、次第に吸引力が低下してくる。このため、所定の時期に集塵袋に振動を与えて濾過面に付着した微細塵を集塵袋内底面に振るい落とすことで除塵を行い目詰まり防止を行う除塵機構を設けることが提案されている。
【０００４】
除塵機構は集塵袋外周面に作用する除塵体を振動させることによって該集塵袋内面（濾過面）に付着した塵を振るい落とす構成であり、除塵体を振動させる駆動機構としては電磁振動で振動させる構成の電磁式駆動構成や、電源コード巻取りに用いるコードリールの回転をギアで伝達して振動させる構成のコードリール式駆動機構が提案されている。このような機構を採用した電気掃除機は例えば特許文献１及び２に記載のようなものがある。
【０００５】
【特許文献１】特開平５−１９２２７８号公報
【特許文献２】特開２００４−１７４２６８号公報
【発明の開示】
【発明が解決しようとする課題】
【０００６】
しかしながら、上記従来の構成では集塵袋に塵埃が溜まってくると、集塵袋内を通過する空気は通気抵抗の少ない集塵袋上部に流れ、除塵しても集塵袋内面（濾過面）から振るい落とされた微細塵が再度巻き上げられ、集塵袋上部が目詰まりし、除塵効果が低下する問題があった。
【０００７】
本発明の目的は、上記課題を解決し、集塵袋の内面に付着した塵埃を効率よく除塵することのできる電気掃除機を提供することにある。
【課題を解決するための手段】
【０００８】
上記課題を解決するために本発明の特徴とするところは、電動送風機及び集塵室を有する掃除機本体と、前記集塵室に配置される集塵袋と、該集塵袋の内面に付着した塵埃を除塵する除塵手段と、該除塵手段を駆動する駆動手段とを設けた電気掃除機において、前記除塵手段には該除塵手段の動作に連動して動作する除塵体を設けたことにある。
【発明の効果】
【０００９】
本発明によれば、集塵袋を除塵する除塵手段に、該除塵手段の動作に連動して動作する除塵体を設けたので、除塵手段の除塵力に加え除塵体も除塵を行うので、効率よく除塵でき、電動送風機の吸引力を回復させることができる。
【００１０】
また、従来に比べ、集塵袋の使用時間を向上することができ、集塵袋の交換回数を少なくでき、メンテナンス性が向上する。
【発明を実施するための最良の形態】
【００１１】
以下、本発明の実施例を添付の図面を用いて説明する。
【実施例１】
【００１２】
図１は本発明の一実施例に係る掃除機本体１の外観斜視図、図２は図１において集塵蓋５を開いた状態を示す外観斜視図、図３は掃除機本体１の縦断面図である。
【００１３】
掃除機本体１には、後部に走行用の車輪２が設けられている。掃除機本体１の内部には、上面に向かって開口した開口部が形成された集塵室３と、吸引力を発生させる電動送風機８が収容されている。４はホース（図示せず）が接続され、集塵室３と連通するホース差込口である。集塵室３には、紙、布、不織布等で構成された集塵袋７が取り外し自在に設けられている。
【００１４】
５は掃除機本体１の上方に回動自在に支持され、集塵室３の開口部を開閉自在に覆う集塵蓋である。集塵蓋５の内側（集塵室３側）には後述する上部横置除塵体（第二除塵体）６が保持され、該上部横置除体６の支軸８１が集塵蓋５の８２に回動自在に取り付けられる。
【００１５】
掃除機本体１は、集塵室３の後側に後部室を有する。この後部室は、電動送風機８、コードリール９を内置する。
【００１６】
電動送風機８は、送風部（ファン）と電動機を有する。送風部が前側、電動機が後側になるように置かれる。コードリール９は、電動送風機８の隣に並ぶように置かれる。電動送風機８には、コードリール９を介して電力が供給される。
【００１７】
次に除塵関連に関して説明する。
【００１８】
集塵袋７の除塵は、除塵手段で行なわれる。除塵手段は、除塵部材１０とコードリール９に駆動され、かつ前記除塵部材１０に振動動作を起こさせる除塵回転体１２と動力分岐機構２５を有する。
【００１９】
除塵部材１０は集塵室３に備えられ、集塵室３に置かれる集塵袋７は、除塵部材１０で、振動させられて内部に付着する塵埃が振るい落とされる。
【００２０】
除塵駆動伝達ユニット１１（図４）は、掃除機本体１の内底部に備えられる。除塵駆動伝達ユニット１１は、除塵回転体１２と、伝達歯車１３を有する。図８に示すように、この伝達歯車１３は、コードリール９の駆動歯車１４に噛み合う。
【００２１】
動力分岐機構２５は集塵室３内部に備わり、前記除塵回転体１２の回転力を利用し前記上部横置除塵体６へと動力を伝え、前記上部横置除塵体補助部８３が連動する。この動力分岐機構２５の詳細については後述する。
【００２２】
コードリール９の回転で、駆動歯車１４、伝達歯車１３を介して除塵駆動伝達ユニット１１の除塵回転体１２に回転が伝わる。除塵回転体１２の回転により、除塵部材１０は振動させられ、集塵袋７内の除塵が行なわれる。
【００２３】
除塵部材について、図５〜図９を引用して更に詳しく述べる。
【００２４】
除塵部材１０は、縦置除塵体（第一除塵体）１５と、下部横置除塵体（第三除塵体）１６と、上部横置除塵体（第二除塵体）６と、上部横置除塵体補助部（第四除塵体）８３を有する。縦置除塵体１５の下端と、下部横置除塵体１６の後端は支軸１７により回動自在に結合されている。縦置除塵体１５と下部横置除塵体１６は、折り畳まれた０度（図９（ｂ）に示す状態に近い）から開かれた約９０（図９（ａ）に示す状態）の範囲で回動する。
【００２５】
縦置除塵体１５は、下端にストッパー１８を有する。下部横置除塵体１６が９０度まで開いたところで、下部横置除塵体１６はストッパー１８で抑えられ、それ以上は開かない。
【００２６】
なお、最大開き角度は、下部横置除塵体１６が集塵室３の内底部に接触しなければ、９０度以下でも９０度以上でもよい。
【００２７】
縦置除塵体１５は、上側両端に支持軸突起１９が設けられる除塵枠体部２０を有する。掃除機本体１は、図３、図１０に示すように、集塵室３と後部室を仕切る中間仕切壁２１を有する。この中間仕切壁２１は、集塵室３側に縦に走る二つの支持リブ２２が間隔を隔て設けられ、支持リブ２２は、図１０に示すように、上側に支持孔２３を有し、前記中間仕切壁２１には動力分岐機構２５を取り付けるための係止溝４４を有する。
【００２８】
支持リブ２２の支持孔２３に縦置除塵体１５の支持軸突起１９は回動自在に嵌る。これにより、前記縦置除塵体１５と前記下部横置除塵体１６は、集塵室３に揺振自在に置かれる。
【００２９】
支持リブ２２は、図１１（ａ）に示すように、対向面（内側面）に支持孔２３の上側から支持リブ２２に向けて形成された傾斜溝２４ａを有する。この傾斜溝２４ａは、上側に向かって外向きに傾く。支持軸突起１９ａも端側が傾斜面を有する。このため、支持軸突起１９ａを傾斜溝２４ａに沿って上から下に滑らせることにより、支持軸突起１９ａは支持孔２３に容易に嵌る。前記縦置除塵体１５、前記下部横置除塵体１６との取り付けが容易に行なわれる。
【００３０】
また、支持リブ２２は場合によって、図１１（ｂ）に示すように、対向面（内側面）の少なくとも１つが支持孔２３の前側（ホース差込口４側）から支持リブ２２に向けて形成された傾斜溝２４ｂを有する。この傾斜溝２４ｂは、前側に向かって外向きに傾く。この際、支持軸突起１９は支持軸突起１９ｂの形状にすることで前側から中間仕切壁２１に垂直に向かって傾斜溝２４ｂ上を滑らせることで、支持突起１９ｂは支持孔２３に容易に嵌る。
【００３１】
動力分岐機構２５について説明する。
【００３２】
動力分岐機構２５は集塵室内にあり、前記縦置除塵体１５と、前記中間仕切壁２１の間に配置され、該中間仕切壁２１に設けた係止溝４４に取り付けられる。
【００３３】
前記動力分岐機構２５は、前記除塵駆動伝達ユニット１１の除塵回転体１２の突起２７と、動力分岐機構２５のカムクランク突起２８とが係合し、除塵回転体１２の回転運動に連動して係合部がこの場合は下へと引かれ該動力分岐機構２５の付勢バネ２９にて元に戻されることで往復運動を行い、該動力分岐機構２５のカムクランク３０によって、除塵回転体１２の回転運動の駆動力をこの場合は上方向へ変換し上部横置除塵体６へ動力を伝達し、上部横置除塵体補助部８３まで動力が伝達される。
【００３４】
除塵回転体１２は、外周に巻装される除塵バネ３１を有する。除塵バネ３１は、除塵回転体１２の長手方向に沿って螺旋状に巻かれ、図３５（ａ）から（ｄ）に示すように長手方向の断面は略円形若しくは、略長円若しくは、多角形ないし外周に突き出る複数の凹凸形状を有する。除塵部材１０の縦置除塵体１５に備える付勢バネ２６は、縦置除塵体１５を中間仕切壁２１方向へ押し付ける。
【００３５】
上部横置除塵体及び上部横置除塵体補助部について説明する。
【００３６】
前記除塵駆動伝達ユニット１１の前記除塵回転体１２から前記動力分岐機構２５のカムクランク３０を介して前記上部横置除塵体６の端部８７ｂが上方向の荷重を受けて前記上部横置除塵体補助部８３が略上下方向に作動する。
【００３７】
前記横置除塵体６は略上下方向に作動した際に、前記上部横置除塵体６の荷重側以外の端部（上部横置除塵体伝達軸）８６を有し、前記上部横置除塵体６の作動を前記上部横置除塵体補助部８３へ伝達される。
【００３８】
前記上部横置除塵体伝達軸８６の作動は、前記上部横置除塵体補助部８３の作動受部８８から作動を伝達し、前記上部横置除塵体補助部８３を略上下方向に作動させる。
【００３９】
前記上部横置除塵体補助部の作動受部８８は前記上部横置除塵体補助部の支持軸８９ａに対して前記上部横置除塵体６側に配置する。
【００４０】
これによって、前記上部横置除塵体６が前記動力分岐機構２５から上方向への作動を受け、前記上部横置除塵体６の前端８７ａが押し下げられ、集塵袋７の上面を瞬時に叩くと同時に、連動している前記上部横置除塵体補助部８３は図１４（ｂ）のように支持軸８９ａを基準に全体を上方向に持ち上げ、集塵袋７への加振に対してためを持たせる。
【００４１】
次にバネ９０ａ、９０ｂ等による付勢により、前記上部横置除塵部６が元の位置にもどる際に、前記支持軸８９ａを基準に全体を上方向に持ち上げていた前記上部横置除塵体補助部８３が、図１４ａのように自重と前記上部横置除塵体伝達軸８６から、前記作動受部８８が動力を受けることによって、集塵袋７の上面を叩くことが出来る。
【００４２】
この一連の動作によって、前記動力分岐機構２５からの１回の動力伝達によって、集塵袋７の上面を交互に最低２回及び２ヶ所以上について加振して除塵をすることが可能となる。
【００４３】
また、場合によっては前記上部横置除塵体補助部８３の作動受部８８を支持軸８９ｂに対して、前記上部横置除塵体６から離れた側に配置することによって、前記動力分岐機構２５からの１回の動力伝達によって、集塵袋７の上面の１ヶ所またはそれ以上の箇所を同時に加振することができる。
【００４４】
集塵袋７は、図３に示すように、後側が除塵部材１０の縦置除塵体１５に、下側が下部横置除塵体１６に、上側が上部横置除塵体６及び上部横置除塵体補助部８３に当接する。除塵回転体１２が回転することにより、縦置除塵体１５と回動自在に結合されている下部横置除塵体１６は、付勢バネ２６に抗して、前記縦置除塵体１５は前後方向に、又下部横置除塵体１６は前記縦置除塵体１５と連動し、前後に振動すると共に略上下にも振動する。また、前記動力分岐機構２５は除塵回転体１２の突起部２７からの動力を伝達しカムクランク３０を介して上部横置除塵体６及び上部横置除塵体補助部８３を略上下に振動させる。
【００４５】
集塵袋７の後側は、縦置除塵体１５により前後に揺すられ、下側は下部横置除塵体１６で前後に擦られるとともに上下に多少振られ、上側は上部横置除塵体６及び上部横置除塵体補助部８３にて上下に振られる。この振動により、集塵袋７内に付着する塵埃が除塵され、集塵袋７の通気性が回復し、更なる吸塵ができる。特に、集塵性能への影響が大きい上側は、上部横置除塵体及び上部横置除塵体補助部によって大きな効果が得られる。これを繰り返すことにより、集塵袋７内が一杯になるまで吸塵できる。
【００４６】
集塵室内の掃除について説明する。
【００４７】
塵埃は、集塵袋７内に集塵される。しかし、集塵袋７を取り外す際、集塵袋７内に溜まった塵埃が誤って集塵室３の下部にこぼれる場合がある。この時、集塵室蓋５を開いて、集塵室３から集塵袋７を外し、内底部に溜まった細塵の掃除をする。
【００４８】
この際に、除塵部材１０の下部横置除塵体１６を図９に示すように折り畳むことにより、内底部側から下部横置除塵体１６が一時的に除かれた状態になる。このため内底部が容易に、しかも細塵を残さず掃除できる。
【００４９】
下部横置除塵体１６は、図７に示すように、前後方向に延在する複数のスリット３２が並ぶように設けられている。集塵袋７を抜けた気流は、スリット３２を通って電動送風機８へと流れる。下部横置除塵体１６のスリット３２は、気流の流れを良くするためである。
【００５０】
スリット３２には、集塵室３の内底部に一体に設けられた案内リブ３３が摺動自在に嵌る。この案内リブ３３は、除塵動作の前後方向振動ではガイドとして機能する。前後方向振動と交差する方向の動きは案内リブ３３により規制される。
【００５１】
このため、電気掃除機本体の置かれる姿勢が横倒しになっていても案内リブ３３の案内により、除塵部材１０の除塵動作は作動不良を起こすことなく、円滑に行なわれる。
【００５２】
また、除塵部材１０は下部横置除塵体１６をストッパー１８で支えているので、除塵動作で下部横置除塵体１６と集塵室３の内底部は擦れ合うことなく、円滑な除塵動作が行なわれる。
【００５３】
除塵駆動伝達ユニット１１の除塵バネ３１は、縦置除塵体１５の下端に当接する。この当接部は、縦置除塵体１５の下端後部で支軸１７の近傍に位置し、円弧形状を有する。この円弧面は、縦置除塵体１５の幅範囲内に亘り形成されている。
【００５４】
この円弧面の当接部に当接する除塵バネ３１は図３５（ａ）から（ｄ）に示すように長手方向の断面は略円形若しくは、略長円若しくは多角形ないし外周に突き出る複数の凹凸形状が当接しても、円弧面により除塵回転体１２の円滑な回転が維持される。これにより、除塵部材１０の振動作動が良好に行なわれ、集塵袋７の除塵が効率良く行なわれる。
【００５５】
図７、図１７に示すように、除塵部材１０の下部横置除塵体１６は、前後に通じる方向から見て中央が隆起する形状を有する。このような形状に有するので、平板状のものに比べ、構造上の強度が高まり、前期集塵室３に添った形状となり、スペースを有効活用することができる。
【００５６】
下部横置除塵体１６は、縦置除塵体１５の下端後部に支軸１７で片持ち支持され、かつスリット３２が形成された薄手のものである。中央が隆起する強い構造であるので、折れ曲がることなく、集塵袋７を下から支えることができる。このため、下部横置除塵体１６が集塵室３の内底部に接触することも生じることなく、除塵の振動動作が良好に行なわれる。
【００５７】
図１０に示すように、集塵室３と後部室を仕切る中間仕切壁２１は、内部流通口３４を有する。内部流通口３４は、電動送風機８の送風部（ファン）の吸込口に対向するように中央から片側に偏在させて設ける。
【００５８】
集塵室３に流入する気流は、内部流通口３４を通って電動送風機８に流れる。内部流通口３４には、複数の縦格子リブ３５が設けられる。
【００５９】
図２に示すように、集塵室３に内置されると除塵部材１０は、縦置除塵体１５が内部流通口３４のところに対向するように置かれる。縦置除塵体１５の巾は、集塵室３の横巾（中間仕切壁２１の横幅）より狭い。このため、コードリール９側に対応する中間仕切壁２１のところには、縦置除塵体１５は存在しない。
【００６０】
下部横置除塵体１６は、縦置除塵体１５の横巾より広い横巾を有し、集塵室３の内底部の横幅範囲に広がる。
【００６１】
集塵袋７内に吸い込まれた塵埃は、集塵袋７の後部側で内部流通口３４に近いところの内側に多く付着する。この多く付着するところを積極的に除塵振動させるために縦置除塵体１５の横巾を集塵室３の横巾よりも狭くした。
【００６２】
集塵袋７の底側は、塵埃付着の偏りは少ないので、除塵振動が出来るだけ広い範囲に
及ぶように下部横置除塵体１６の横巾を縦置除塵体１５よりも広くした。
【００６３】
なお、縦置除塵体１５と下部横置除塵体１６の横幅を同じにすることも可能である。
【００６４】
集塵袋７の天面は、特に巻き上げられた粉塵を含む微細塵が多く、集塵袋７の天面側の略中央に上部横置除塵体６を配置し除塵することにより、天面全体に振動が行き渡る。
【００６５】
図１３、図１９を引用して付勢バネ２６の取り付けについて説明する。
【００６６】
縦置除塵体１５の除塵枠体部２０は、一方の側面上部にバネ収容部３６を有する。
【００６７】
バネ収容部３６は、除塵枠体部２０の外側面と、前側壁３７と、内側壁３８で形成される。バネ収容部３６の後側は壁部がなく、開放になっている。前述した一方の支持軸突起１９は、外側壁３８の外側に設けられている。
【００６８】
バネ収容部３６内には、除塵枠体部２０の外側面に付勢バネ２６の中心を支持するバネ支持軸突起３９と、付勢バネ２６の左右のガタ及び倒れを防止するための補強リブ４０を有する。
【００６９】
付勢バネ２６は、図１９に示すように、バネ収容部３６内に収納され、付勢バネ端部４１を中間仕切壁２１に押圧する。これにより、縦除塵体１５は付勢バネ２６の力で支持軸突起１９を支点としてＰ矢印方向の回転力が付与される。
【００７０】
前述したように、付勢バネ２６は、除塵回転体１２の回転で縦置除塵体１５を押す力に抗するように作用する。除塵回転体１２の回転による押力と付勢バネ２６の抗する力により、除塵部材１０は除塵振動動作をする。
【００７１】
付勢バネ２６は、バネ収容部３６内に挿入し、付勢バネ２６の中心をバネ支持軸突起３９に挿入することで簡単に組み込むことができる。また、除塵枠体部２０は支持軸突起１９を支持リブ２２の支持孔２３に嵌め込むことにより、付勢バネ端部４１を中間仕切壁２１に押圧して付勢バネ２６として機能するようになるので、除塵枠体部２０の取付けも容易である。
【００７２】
図２０に示すように、保護フィルタ部４５は、フィルタ支持枠４６と、支骨４７を縦横に設けた格子と、保持つめ４８と、保護通気フィルタ４９、保持突起１０１を有する。
【００７３】
フィルタ支持枠４６と別体の保護通気フィルタ４９は、支骨４７と、保持つめ４８とによりフィルタ支持枠４６に保持される。
【００７４】
保護通気フィルタ４９は、通気目が集塵袋７より粗く、フィルタ支持枠４６の格子目よりも細やかで、可撓性を有する。フィルタ支持枠４６の格子に添え当てた保護通気フィルタ４９は、周縁を保持つめ４８のところに差し込む。こうして、保護通気フィルタ４９は、フィルタ支持枠４６に保持される。
【００７５】
除塵枠体部２０は、図１３に示すように、下側に差込溝５０を有する。この差込溝５０は図２０に示す保護フィルタ部４５のフィルタ支持枠４６の外周下側に配置される保持突起１０１が嵌め込まれる。
【００７６】
保護フィルタ部４５が取り付け、取り外しができるので、除塵部材１０のメンテナンスに際しては、保護フィルタ部４５を取り外すことで、保護通気フィルタ４９をお手入れできる。保護フィルタ部４５が着いていない合成樹脂製の除塵枠体部２０は撓みやすく、除塵枠体部２０の着脱が容易である。
【００７７】
この保護フィルタ部４５は、内部流通口３４上流側に位置する。集塵袋７が破れても、保護フィルタ部４５により、塵埃が内部流通口３４を通って電動送風機８に吸い込まれるのを防止できる。
【００７８】
保護通気フィルタ４９は、空気流の下流側面の周縁が保持つめ４８で保持され、それに加え、縦置除塵体１５の下流側枠体と中間仕切壁２１に隣接される縦格子リブ３５で抑えられるので、保護通気フィルタ４９が除塵枠体部２０及び保護フィルタ４５から脱落する不具合は生じない。
【００７９】
保護フィルタ部４５は、図２０に示すように、フィルタ支持枠４６の上部の側端に突き出す取っ手５１を有する。保護フィルタ部４５の取り付け、取り外しでは、取っ手５１を掴んで行う。
【００８０】
集塵室３の内底部は、図３に示すように、隆起している。掃除機本体１の前側下面にキャスター５２を取り付ける窪みを設けるために隆起させた。この隆起に合うように下部横置除塵体１６の中央を隆起させ、かつ強度を高めた。
【００８１】
これにより、下部横置除塵体１６と集塵室３の内定部間にできる無駄な空間は少なく、集塵室３内で集塵袋７がより大きく膨らみ、集塵量の増加を図ることができる。
【００８２】
次に除塵駆動伝達ユニット１１の関連について説明する。
【００８３】
除塵駆動伝達ユニット１１は、図２２に示すように、支持フレーム７３を有する。
【００８４】
支持フレーム７３は、矩形の枠体部５３と、枠体部５３の片側を塞ぐ底板部５４と、枠体部５３の短辺側に底板部５４の反対側に向かって立つ二つの回転体支持板５５を有する。
【００８５】
二つの回転体支持板５５の周端縁と、枠体部５３の長辺側端縁には、気密シール５６が設けられる。この気密シール５６は、図２３に示すように、連なった環に形成されている。連なった環の気密シール５６は、つなぎ合わせの隙間がないので、シール性が高まり、かつ気密シールが変形し、確実な気密を確保することができる。
【００８６】
気密シール５６は、枠体部５３と一体に合成樹脂で成型される。気密シール５６は、シール機能を有するように枠体部５３よりも軟質な合成樹脂で成型される。成型用の金型で成型された枠体部５３を別の金型に移し、軟質の合成樹脂を注入することにより、枠体部５３と気密シール５６は一体に成型される。
【００８７】
気密シール５６は、枠体部７３と分離して、ばらばらになることが生じないので、組立の際の取り扱い性が向上する。また、気密シール５６は軟質の合成樹脂で形成されるので、シール性が向上する。
【００８８】
除塵駆動伝達ユニット１１の除塵回転体１２は、二つの回転体支持板５５に回転自在に支持される。除塵回転体１２は、図１８に示すように、両端側に支軸７４Ａ、７６Ｂを有する。
【００８９】
伝達歯車１３は、除塵回転体１２の一方の端部側に設けられる。伝達歯車１３の軸部５７を除塵回転体１２の一方の端部側にネジ等で締結して固定する。伝達歯車１３は除塵回転体１２の端部から離間したところに位置する。
【００９０】
除塵回転体１２内には、一方向の回転が伝達され、他方向の回転が伝達されない、いわゆる一方向回転伝達クラッチ５８が備わる。コードリール９の駆動歯車１４、および伝達歯車１３を介してコードリール９の回転は、除塵回転体１２に伝達される。
【００９１】
コードを引き出すときには除塵回転体１２は回されるが、コードを巻き取るときには除
塵回転体１２は回されない。こうすることにより、コードリール９の巻取りバネを小型化でき、しかもコードの引き出しが軽くなる。
【００９２】
支持フレーム７３の二つの回転体支持板５５は、除塵回転体１２の支軸７４Ａ，７４Ｂを回転自在に支持する軸受５９Ａ、５９Ｂを有する。伝達歯車１３が設けられる支軸７４Ｂを回転自在に支持する方の軸受５９Ｂは、貫通するように形成される。
【００９３】
伝達歯車１３が設けられない方の支軸７４Ａを支持する軸受５９Ａは、奥側が塞がるように形成される。軸受５９Ａは、奥側が塞がっているので、軸受５９Ａから回転体支持板５５の外側に空気は漏れない。
【００９４】
しかし、軸受５９Ｂは貫通しているので、回転体支持板５５の外側に空気は漏れる。そこで、回転体支持板５５の外面側に、軸受５９Ｂと支軸７４Ｂの隙間を封じる軸シール６０を設けた。この軸シール６０により、軸受５９Ｂを通じて回転体支持板５５の外側に漏れる空気漏洩は阻止される。
【００９５】
図４に示すように、掃除機本体１は底面に除塵駆動伝達ユニット１１が装着される装着開口部６１を有する。この装着開口部６１には、除塵駆動伝達ユニット１１が外側から着脱自在に装着される。
【００９６】
このように、支持フレーム７３に除塵回転体１２、伝達歯車１３をまとめてユニット化し、ユニットになった除塵駆動伝達ユニット１１を掃除機本体１の装着開口部６１に取り付けるので、組立てが容易に行なわれる。
【００９７】
装着開口部６１は、除塵回転体１２や支持フレーム７３が置かれるところには窪み部６２が形成され、伝達歯車１３が置かれるところには後部室（コードリール９、電動送風機８が置かれる）側に臨む開口が形成されている。
【００９８】
窪み部６２は、図２４に示すように、奥側に除塵用開口６３を有する。この除塵用開口６３は、集塵室３内に置かれる縦置除塵体１５の下端側に臨んでいる。
【００９９】
また、窪み部６２は、伝達歯車１３が位置する方の側面側に伝達開口６４を有する。この伝達開口６４を介して窪み部６２は、後部室側と連通している。
【０１００】
装着開口部６１に装着された除塵駆動伝達ユニット１１の除塵回転体１２は、外周側の除塵バネ３１が除塵用開口６３から集塵室３に突き出し、縦置除塵体１５の下端側（円弧面の当接部）に当接する。
【０１０１】
伝達歯車１３は、コードリール９の駆動歯車１３に噛み合わされる。伝達歯車１３の軸部５７は、伝達開口６４に置かれる。
【０１０２】
窪み部６２は、図２４、図２５に示すように、窪み部６２の底に近い低位置段部６５と、底から離れた高位置段部６６とを有する。また、窪み部６２は、長手方向の端側に接合突起６７，６８を有する。
【０１０３】
窪み部６２の低位置段部６５には、気密シール５６の辺５６Ｂが当接する。窪み部６２の高位置段部６６には、気密シール５６の辺５６Ａが当接する。接合突起６８には、気密シール５６の辺５６Ｃが当接する。接合突起６７には、気密シール５６の辺５６Ｄが当接する。
【０１０４】
これらの当接による気密シール５６のシールにより、除塵用開口６３を通じ、集塵室３と掃除機本体１の外側間で空気が流通するのは断たれる。このため、装着開口部６１を通じて集塵室３と掃除機本体１の外側間で空気が流れる空気漏れは生じない。
【０１０５】
また、気密シール５６は、窪み部６２が伝達開口６４を介して後部室（コードリール９、電動送風機８が置かれる）に連通するところのシールを併せてしている。このため、集塵室３と後部室の間も空気の流通は断たれ、空気漏れは生じない。
【０１０６】
図２５の（ａ）は、電気掃除機本体の装着開口部６１に装着されている除塵駆動伝達ユニットを横方向に断面したところを示している。
【０１０７】
図２５の（ｂ）は、除塵駆動伝達ユニット１１を装着開口部６１から外したところを示している。窪み部６２の底に除塵用開口６３が見える。また、接合突起６７、６８は、図示されていないが、二つの回転体支持板５５のところに位置する。
【０１０８】
窪み部６２に内側面に突出するように設けられた接合突起６７、６８は、幅が気密シール５６の幅よりも狭い。接合突起６７、６８に押圧された気密シール５６を押し付けることにより、接合突起６７、６８が気密シール５６に食い込み気密が向上する。
【０１０９】
除塵駆動伝達ユニット１１は、掃除機本体１に設けたねじボス６９、７０にねじ込むネジにより締め付け固定される。除塵駆動伝達ユニット１１に設けたネジ通穴７１、７２は、二つの回転体支持板５５の外側に設けた。
【０１１０】
二つの回転体支持板５５の内側にネジ通穴を設けると、ネジ通穴にも気密を施さなければならない。ネジ通穴を二つの回転体支持板５５の外側に設けることにより、気密を施す必要がなく、構成が簡単になる。
【０１１１】
以上説明したように本実施例によれば、集塵袋を除塵手段にて後方、下方、上方を振動させているので、除塵を効率よく行うことができ、集塵袋にゴミが溜まっても吸引力を持続することができる。
【０１１２】
また、従来に比べ、集塵袋の使用時間を向上することができ、集塵袋の交換回数を少なくでき、メンテナンス性が向上する。
【０１１３】
また、集塵袋の下部にも除塵手段を配置しているので、集塵袋下方の通気路確保することができ、集塵性能が向上する。しかも集塵袋の下部も除塵手段で除塵するので、集塵袋にゴミが溜まっても吸引力を持続することができる。
【０１１４】
また、集塵袋を除塵する除塵手段に、該除塵手段の動作に連動して動作する補助除塵体を設けたので、除塵手段の除塵力に加え第四除塵体も除塵を行うので、効率よく除塵でき、電動送風機の吸引力を回復させることができる。
【実施例２】
【０１１５】
以下、本発明の第２の実施例について、図を引用して説明する。
【０１１６】
図２６は本発明の実施の形態に係る電気掃除機本体の斜視図である。前記上部横置除塵体６及び前記上部横置除塵体補助部８３が除塵体保持部９１を介して集塵室蓋５に配置されている。
【０１１７】
除塵体保持部９１は、集塵室蓋５の除塵体保持部係合突起９２と除塵体保持部９１の係止突起９３が嵌り、それに対向した側には、集塵室蓋５の除塵体保持部係止ツメ９４と除塵体保持部の係合孔９５が係合し、前記集塵室蓋５に前記上部横置除塵体６及び前記上部横置除塵体補助部８３が除塵体保持部９１を介して集塵室蓋５に配置されている。これによって、集塵性能を大きく左右する前記上部横置除塵体６及び前記上部横置除塵体補助部９３を効率よく組み立てることができ、生産性を向上させることができる。また組付ける際に除塵体保持部９１と集塵室蓋５の間に、消臭・抗菌等の効果を持ったフィルター９６を間に配置することで、塵埃を通った空気に含まれる臭いや細菌等を不活化して、きれいな空気を本体の外へ排出することができる。
【０１１８】
前記動力分岐機構２５から動力が伝達され、前記上部横置除塵体及び前記上部横置除塵体補助部の作動及び連動に関しては、上記第一の実施例と同じである。
【実施例３】
【０１１９】
以下、本発明の第３の実施例について、図を引用して説明する。
【０１２０】
図２７は本発明の実施の形態に係る電気掃除機の集塵室蓋５の斜視図である。
上記第１及び第２の実施例のような構造・構成をとる場合、前記上部横置除塵体６及び前記上部横置除塵体補助部８３の構成を図２７のような形状とすることで、複数の前記上部横置除塵体６及び前記上部横置除塵体補助部８３によって、効率よく且つ高い除塵性能を実現できる。
【実施例４】
【０１２１】
以下、本発明の第４の実施例について、図を引用して説明する。
【０１２２】
上記第２及び第３の実施例において、前記上部横置除塵体６及び前記上部横置除塵体補助部８３を構成した除塵体保持部９１を着脱自在にすることによって、組立て・生産性の向上は去ることながら、前記抗菌・消臭等のフィルター９６を集塵室蓋５と除塵体保持部９１の間に具備した場合、サービスマンだけではなく、使用者自らで交換・お手入れすることができ、メンテナンス性に優れる。
【実施例５】
【０１２３】
以下、本発明の第５の実施例について、図を引用して説明する。
【０１２４】
図２８、図２９、図３０、図３１は本発明の実施の形態に係る電気掃除機の集塵室蓋５の斜視図及び本体断面図である。
【０１２５】
上記第１から第４の実施の形態において、前記上部横置除塵体補助部８３が集塵室蓋５との間に流路空間を構成することを特徴とし、図３０のようにホース差込口４から入った塵埃を含んだ空気が集塵袋７にてろ過され、その上面から出て、一部は前記上部横置除塵体６を通過し、フィルター９６を具備した前記除塵体保持部９１ヘ流れ、また一部は集塵室蓋７のリブ上に構成された流路孔９７を通過して前記上部横置除塵体補助部８３が構成した空気流路９８を通過し、電動送風機８へと吸引されていく。
【０１２６】
通常、コードリールにて集塵袋７の除塵を行なっているときには、前記上部横置除塵体６の効果を倍増させる上部横置除塵体補助部として機能し、掃除中においては塵埃を吸込んでいる際に、空気流路を構成する役割を果たしている。
【実施例６】
【０１２７】
以下、本発明の第６の実施例について、図を引用して説明する。
【０１２８】
図３２、図３３は本発明の実施の形態に係る電気掃除機本体の斜視図及び動力伝達保護カバーの断面図である。
【０１２９】
上記第１から第５で実施のいずれかの形態において、集塵室３内は集塵室蓋５の気密リブ９９とエラストマー樹脂等軟質材にて構成された気密リップ１００とを互いに押し付けることによって気密を保持している。
【０１３０】
その集塵室３内に位置する前記上部横置除塵体６及び前記上部横置除塵体補助部８３は集塵室蓋５に直接又は間接的に係合している。
【０１３１】
図３２のように前記動力分岐機構２５を集塵室３内に配置することは、余分な気密機構の増加を抑えるために有効であり、また、取付け方法においても図３３のような係合ツメ４３を動力伝達保護カバー４２に構成し、中間仕切壁２１に係止溝４４を構成することによって、ワンタッチで動力分岐機構を集塵室内にセットすることができ、係止のためのねじも使用することがないので、部品点数削減にもつながり、環境にもやさしい。
【実施例７】
【０１３２】
以下、本発明の第７の実施例について、図を引用して説明する。
【０１３３】
図３４は本発明の実施の形態に係る電気掃除機の集塵室の斜視図である。
【０１３４】
上記第１から第６で実施のいずれかの形態において、図３４のように除塵駆動ユニット１１の伝達歯車１３を介して、電動機７７の駆動軸に駆動歯車１４を接続し、ＡＣ又はＤＣ電源によって、除塵駆動ユニット１１を自動で動かすことによって、動力分岐機構２５によって伝達された動力は、縦置除塵体１５と、下部横置除塵体１６と、上部横置除塵体６と、上部横置除塵体補助部８３とをコードリールを引くことなく、１つ又は少なくとも２つ以上同時に作動させることができる。
【０１３５】
これによりコードリールの引き出す強さや引き出す量によって、変わっていた除塵効果も規定の速度、時間で除塵できるため、常に一定以上の除塵効果が期待できる。
【０１３６】
また、設定によっては、電源コードを家庭用コンセントに差し込んだ際に作動させたり、掃除を始めるときに手元スイッチをＯＮした際、もしくは掃除が終わって手元スイッチをＯＦＦした際、またはそれらいずれかの場合においても制御によって作動させ、最も除塵効率のいいタイミングで除塵をすることができるため、手動除塵に比べ、更に効果的に集塵袋７の除塵を行なうことができる。
【実施例８】
【０１３７】
以下、本発明の第８の実施例について、図を引用して説明する。
【０１３８】
上記第１から第７で実施のいずれかの形態において、集塵室蓋５を含む電気掃除機本体の外郭の少なくとも一部が透明又は半透明部材で構成されており、集塵室蓋５に直接又は間接的に除塵体保持部を介して具備されており、除塵操作を行なった際に、上部横置除塵体６又は上部横置除塵体補助部８３が作動していることを使用者自らが視認することができる。
【０１３９】
その作動を確認することによって、使用者に除塵が行なわれていることの確信により安心感を与え、またごみの量によっても動きが変わるため、「ごみすてサイン」とは違った形の集塵袋７の交換の目安として使用することができる。
【実施例９】
【０１４０】
以下、本発明の第９の実施例について、図を引用して説明する。
【０１４１】
上記第１から第７で実施のいずれかの形態において、前記上部横置除塵体補助部８３に前記除塵回転体１２から前記動力分岐機構２５、前記上部横置除塵体６を経て、動力が伝達されて、略上下方向に作動する際に、電気掃除機の本体の少なくとも一部に当接し、作動音を発生させる。
【０１４２】
これによって、使用者は視認だけでなく音によっても確実に除塵が行なわれていることを確認でき、更に除塵をしていることへの安心感と使用感を感じることができる。
【図面の簡単な説明】
【０１４３】
【図１】本発明の実施例に係わる電気掃除機本体の外観斜視図。
【図２】本発明の実施例に係わる集塵蓋体が開かれた状態を示す電気掃除機本体の外観斜視図。
【図３】本発明の実施例に係わる電気掃除機本体の断面図。
【図４】本発明の実施例に係わる除塵駆動伝達ユニットの取り付けを示した斜視図。
【図５】本発明の実施例に係わる上部横置除塵体の斜視図。
【図６】本発明の実施例に係わる縦置除塵体の斜視図。
【図７】本発明の実勢例に係わる下部横置除塵体の斜視図。
【図８】本発明の実施例に係わる除塵部材への動力伝達を示す図。
【図９】開かれた除塵部材と折り畳まれた除塵部材を側面から見たところを示す図。
【図１０】本発明の実施例に係わるシタケースを側面から見た図。
【図１１】本発明の実施例に係わる支持リブ２２を拡大した図。
【図１２】本発明の実施例に係わる動力分岐機構を示す図。
【図１３】本発明の実施例に係わる除塵部材を背面から見た斜視図。
【図１４】本発明の実施例に係わる上部除塵部材を前から見た断面図。
【図１５】本発明の実施例に係わる上部除塵部材を横から見た断面図。
【図１６】本発明の実施例に係わる上部横置除塵体補助部の斜視図及び部分断面図。
【図１７】本発明の実施例に係わる除塵部材の正面図。
【図１８】本発明の実施例に係わる除塵駆動伝達ユニットの断面図。
【図１９】本発明の実施例に係わる縦置除塵体のバネ取付け部の部分断面図。
【図２０】本発明の実施例に係わる保護フィルタ部を示した斜視図。
【図２１】本発明の実施例に係わる縦置除塵体と保護フィルタ部を横方向に断面した一部拡大図。
【図２２】本発明の実施例に係わる除塵回転体を除いた除塵駆動伝達ユニットを示す図。
【図２３】本発明の実施例に係わる気密シールを示す図。
【図２４】本発明の実施例に係わる除塵用開口を示した図。
【図２５】本発明の実施例に係わる除塵駆動伝達ユニットが電気掃除機本体に装着されているところを断面した図と、除塵駆動伝達ユニットが外された電気掃除機本体の装着開口部を正面から見た図。
【図２６】本発明の実施例に係わる集塵蓋体が開かれた状態を示す電気掃除機本体の外観斜視図。
【図２７】本発明の実施例に係わる上部横置除塵体及び上部横置除塵体補助部を除塵体保持部に取付けた斜視図。
【図２８】本発明の実施例に係わる集塵室蓋の斜視図。
【図２９】本発明の実施例に係わる集塵室蓋に上部除塵体を取付けた斜視図。
【図３０】本発明の実施例に係わる空気の流れを付記した電気掃除機本体の断面図。
【図３１】本発明の実施例に係わる空気の流れを付記した集塵室蓋の断面図。
【図３２】本発明の実施例に係わる集塵蓋体が開かれた状態を示す電気掃除機本体の外観斜視図。
【図３３】本発明の実施例に係わる動力伝達保護カバーを本体に取付けた際の部分拡大断面図。
【図３４】本発明の実施例に係わる除塵駆動伝達ユニットと電動機との組みつけを示した図。
【図３５】本発明の実施例に係わる除塵バネ３１の断面図。
【符号の説明】
【０１４４】
３…集塵室、６…上部横置除塵体（第二除塵体）、８…電動送風機、９…コードリール、７…集塵袋、１０…除塵部材、１２…除塵回転体、１５…縦置除塵体（第一除塵体）、１６…下部横置除塵体（第三除塵体）、８３…上部横置除塵体補助部（補助除塵体）。
【図１】
2008005863.tif 000003
【図２】
2008005863.tif 000004
【図３】
2008005863.tif 000005
【図４】
2008005863.tif 000006
【図５】
2008005863.tif 000007
【図６】
2008005863.tif 000008
【図７】
2008005863.tif 000009
【図８】
2008005863.tif 000010
【図９】
2008005863.tif 000011
【図１０】
2008005863.tif 000012
【図１１】
2008005863.tif 000013
【図１２】
2008005863.tif 000014
【図１３】
2008005863.tif 000015
【図１４】
2008005863.tif 000016
【図１５】
2008005863.tif 000017
【図１６】
2008005863.tif 000018
【図１７】
2008005863.tif 000019
【図１８】
2008005863.tif 000020
【図１９】
2008005863.tif 000021
【図２０】
2008005863.tif 000022
【図２１】
2008005863.tif 000023
【図２２】
2008005863.tif 000024
【図２３】
2008005863.tif 000025
【図２４】
2008005863.tif 000026
【図２５】
2008005863.tif 000027
【図２６】
2008005863.tif 000028
【図２７】
2008005863.tif 000029
【図２８】
2008005863.tif 000030
【図２９】
2008005863.tif 000031
【図３０】
2008005863.tif 000032
【図３１】
2008005863.tif 000033
【図３２】
2008005863.tif 000034
【図３３】
2008005863.tif 000035
【図３４】
2008005863.tif 000036
【図３５】
2008005863.tif 000037